(57)【要約】本発明は目保護カバー支持台に関し、メイン連結部（１０）によって折畳可能に連結される前面カバー（２０）及び後面カバー（３０）と；前面カバー（２０）及び後面カバー（３０）の上部側に分節ライン（２５ａ）（３５ａ）によって連結されて、その前面カバー（２０）及び後面カバー（３０）に折り畳まれる前面折畳カバー（２５）及び後面折畳カバー（３５）と；前面カバー（２０）及び後面カバー（３０）と前面折畳カバー（２５）及び後面折畳カバー（３５）との間に連結され、その前面カバー（２０）及び後面カバー（３０）と前面折畳カバー（２５）及び後面折畳カバー（３５）との間の角度を維持する角度維持部と；を含むことを特徴とする。
2010533083.tif 000002
【特許請求の範囲】
【請求項１】
メイン連結部（１０）によって折畳可能に連結される前面カバー（２０）及び後面カバー（３０）と；
上記前面カバー（２０）及び後面カバー（３０）の上部側に分節ライン（２５ａ）（３５ａ）のよって連結されて、その前面カバー（２０）及び後面カバー（３０）に折り畳まれる前面折畳カバー（２５）及び後面折畳カバー（３５）と；
上記前面カバー（２０）及び後面カバー（３０）と前面折畳カバー（２５）及び後面折畳カバー（３５）との間に連結されて、その前面カバー（２０）及び後面カバー（３０）と前面折畳カバー（２５）及び後面折畳カバー（３５）との間の角度を維持する角度維持部と；を含むことを特徴とする目保護カバー支持台。
【請求項２】
上記角度維持部（１４０）は、それぞれの上記前面カバー（２０）及び後面カバー（３０）の端部の全面とそれぞれのの前面折畳カバー（２５）及び後面折畳カバー（３５）の端部の全面を連結し、折り畳まれることができるように、中央に折り目が形成されたシート部材であることを特徴とする請求項１に記載の目保護カバー支持台。
【請求項３】
上記前面カバー（２０）及び後面カバー（３０）の内側それぞれに、前面カバー溝（２１）及び後面カバー溝（３１）が形成され、上記前面折畳カバー（２５’）は、上記前面カバー溝（２１）の上端の分節ライン（２５ａ’）によって連結されて、上記第１カバー溝（２１）に嵌められる部材で、上記後面折畳カバー（３５’）は、上記後面カバー溝（３１）の上端の分節ライン（３５ａ’）によって連結されて、上記第２カバー溝（３１）に嵌められる部材であり、上記角度維持部（２４０）は、上記前面カバー溝（２１）及び後面カバー溝（３１）と前面折畳カバー（２５’）及び後面折畳カバー（３５’）との間に設置されるバンド部材であることを特徴とする請求項１に記載の目保護カバー支持台。
【請求項４】
上記角度維持部（３４０）は、上記前面折畳カバー（２５）及び後面折畳カバー（３５）と連結されて、上記前面カバー（２０）及び後面カバー（３０）の下部側に掛けられるバンド部材（３４０ａ）と、上記前面カバー（２０）及び後面カバー（３０）の上部側に所定の間隔に設置される第１着脱部（３４０ｂ）と、上記バンド部材（３４０ａ）に設置されて、上記第１着脱部（３４０ｂ）に着脱される第２着脱部（３４０ｃ）とを含むことを特徴とする請求項１に記載の目保護カバー支持台。
【請求項５】
上記角度維持部（４４０）は、上記前面カバー（２０）及び後面カバー（３０）の下端に折畳可能に連結され、上記前面折畳カバー（２５）及び後面折畳カバー（３５）の端部が嵌め込まれる複数の嵌込溝（４４０ａ）が形成された部材であることを特徴とする請求項１に記載の目保護カバー支持台。
【請求項６】
上記前面カバー（２０）及び後面カバー（３０）の背面にそれぞれ複数の前面係止溝（２３ａ）及び後面係止溝（３３ａ）が形成され；
上記角度維持部（５４０）は、上記前面カバー（２０）及び後面カバー（３０）の下端に折畳可能に連結され、、上記前面折畳カバー（２５）及び後面折畳カバー（３５）の端部が係止されたり、上記前面係止溝（２３ａ）及び後面係止溝（３３ａ）に嵌め込まれる複数の係止突起（５４０ａ）が形成された部材であることを特徴とする請求項１に記載の目保護カバー支持台。
【請求項７】
上記角度維持部（６４０）は、上記前面カバー（２０）及び後面カバー（３０）の下端に折畳可能に連結され、その内部に所定の間隔で第１磁力式着脱部（６４０ｂ）が内装された平板部材（６４０ａ）と、上記前面折畳カバー（２５）及び後面折畳カバー（３５）の端部に内装されて、上記第１磁力式着脱部（６４０ｂ）に着脱される第２磁力式着脱部（６４０ｃ）を含むことを特徴とする請求項１に記載の目保護カバー支持台。
【請求項８】
上記角度維持部（７４０）は、上記前面カバー（２０）及び後面カバー（３０）の下端に折畳可能に連結され、内側にガイド溝（７４５ａ）が形成され、上部側に上記前面折畳カバー（２５）及び後面折畳カバー（３５）の端部が嵌め込まれる複数の第１係止突起（７４５ｂ）が形成された本体（７４５）と、上記ガイド溝（７４５ａ）に沿って摺動し、上部側に上記前面折畳カバー（２５）及び後面折畳カバー（３５）の端部が嵌め込まれる複数の第２係止突起（７４６ｂ）が形成されたスライダー（７４６）とを含むことを特徴とする請求項１に記載の目保護カバー支持台。
【請求項９】
上記角度維持部（８４０）は、上記前面カバー（２０）及び後面カバー（３０）の下端に折畳可能に連結され、内側にガイド溝（８４５ａ）が形成され、上部側に上記前面折畳カバー（２５）及び後面折畳カバー（３５）の端部が嵌め込まれる複数の第１係止突起（８４５ｂ）が形成された本体（８４５）と、上記ガイド溝（８４５ａ）の端部に回転可能に設置されて、そのガイド溝（８４５ａ）に嵌め込まれたり開かれ、上部側に上記前面折畳カバー（２５）及び後面折畳カバー（３５）の端部が嵌め込まれる複数の第２係止突起（８４６ｂ）が形成された回転バー（８４６）を含むことを特徴とする請求項１に記載の目保護カバー支持台。
【請求項１０】
上記角度維持部（９４０）は、上記前面カバー（２０）及び後面カバー（３０）のそれぞれに直角方向に内装され、端部に離脱防止段（９４５ａ）が形成されたガイド管（９４５）と、上記ガイド管（９４５）の内部で摺動し、上記離脱防止段（９４５ａ）に係止される離脱防止突起（９４６ａ）が形成され、上部側に上記前面折畳カバー（２５）及び後面折畳カバー（３５）の端部が嵌め込まれる複数の係止突起（９４６ｂ）が形成されたスライダー（９４６）を含むことを特徴とする請求項１に記載の目保護カバー支持台。
【請求項１１】
上記角度維持部（１０４０）は、上記前面カバー（２０）及び後面カバー（３０）のそれぞれの下端に折畳可能に連結され、上記前面折畳カバー（２５）及び後面折畳カバー（３５）にそれぞれ形成された穿孔溝（２５ｃ）（３５ｃ）に貫通されて嵌め込まれる複数の係止突起部（１０４０ａ）が形成された部材で具現されることを特徴とする請求項１に記載の目保護カバー支持台。
【請求項１２】
上記メイン連結部（１０’）は、上記前面カバー（２０）と後面カバー（３０）とを連結する複数のリングであり；上記複数のリングであるメイン連結部（１０’）に係止されないように、上記第１前面カバー（２５’）と第１後面折畳カバー（３５’）は分離されて、上記メイン連結部（１０’）の両側の前面カバー及び後面カバーに折り畳まれることを特徴とする請求項１に記載の目保護カバー支持台。
【請求項１３】
上記メイン連結部（１０”）は、上記前面カバー（２０）と後面カバー（３０）とを製本するスプリングであり；上記前面折畳カバー（２５）と後面折畳カバー（３５）の上端及び下端には、それらを連結するサブ連結帯部（１５’）が形成されることを特徴とする請求項１に記載の目保護カバー支持台。
【請求項１４】
上記メイン連結部（１０”）は、前面カバー（２０）と後面カバー（３０）とを製本するスプリングであり；上記前面折畳カバー（２５）と後面折畳カバー（３５）との間を連結するサブ連結部（１５）には、上記メイン連結部であるスプリングの一部が嵌め込まれて貫通されるサブ連結部溝（１５ａ）が形成されることを特徴とする請求項１に記載の目保護カバー支持台。
【請求項１５】
上記前面折畳カバー（２５”）は、上記前面カバー（２０）の内側に折り畳まれ、上記後面折畳カバー（３５”）は、上記後面カバー（３０）の内側に折り畳まれることを特徴とする請求項１に記載の目保護カバー支持台。
【請求項１６】
上記メイン連結部（１０）または上記前面カバー（２０）及び後面カバー（３０）に設置され、各種情報が印刷されたり、筆記ができるようにするページ部を着脱可能に支持するための着脱支持部（６０）をさらに含むことを特徴とする請求項１に記載の目保護カバー支持台。
【請求項１７】
上記前面折畳カバー（２５）と前面カバー（２０）の角側には、その前面折畳カバー（２５）が上記前面カバー（２０）に折り畳まれた状態を維持することができるように着脱部（２６ａ）（２６ｂ）が設置され；
上記後面折畳カバー（３５）と後面カバー（３０）の角側には、その後面折畳カバー（３５）が上記後面カバー（３０）に折り畳まれた状態を維持することができるように着脱部（３６ａ）（３６ｂ）が設置されたことを特徴とする請求項１に記載の目保護カバー支持台。
【請求項１８】
メイン連結部（１１０）によって折畳可能に連結される前面カバー（１２０）及び後面カバー（１３０）；
上記前面カバー（１２０）の上部側に、分節ライン（１２５ａ）によって連結されて、その前面カバー（１２０）に折り畳まれる前面折畳カバー（１２５）と；
上記後面カバー（１３０）の上部側に分節ライン（１３５ａ）によって連結されて、その後面カバー（１３０）に折り畳まれる後面折畳カバー（１３５）と；
上記前面折畳カバー（１２５）と後面折畳カバー（１３５）との間を連結するサブ連結部（１１５）と；
上記サブ連結部（１１５）とメイン連結部（１１０）との間に連結されて、上記前面カバー（２０）と前面折畳カバー（１２５）及び上記後面カバー（１３０）と後面折畳カバー（１３５）との間の角度を維持する角度維持部と；を含むことを特徴とする目保護カバー支持台。
【請求項１９】
上記角度維持部（１３４０）は、上記メイン連結部（１１０）の下端に折畳可能に連結され、上記サブ連結部（１１５）の端部が嵌め込まれる複数の嵌込溝（１３４０ａ）が形成された部材であることを特徴とする請求項１８記載の目保護カバー支持台。
【請求項２０】
上記角度維持部（１４４０）は、上記サブ連結部（１１５）に所定の間隔で設置される複数の第１着脱部（１４４１）と、上記メイン連結部（１１０）に連結されて、サブ連結部（１１５）の下部側を貫通するバンド部材（１４４２）と、上記バンド部材（１４４２）の端部に設置されて、上記第１着脱部（１４４１）に附着される第２着脱部（１４４３）とで構成されることを特徴とする請求項１８記載の目保護カバー支持台。
【請求項２１】
上記メイン連結部（１１０）または上記前面カバー（１２０）及び後面カバー（１３０）に設置され、各種情報が印刷されたり、筆記ができるようにするページ部を着脱可能に支持するための着脱支持部（１６０）をさらに含むことを特徴とする請求項１８に記載の目保護カバー支持台。
【請求項２２】
上記前面折畳カバー（１２５）と前面カバー（１２０）の角側には、その前面折畳カバー（１２５）が上記前面カバー（１２０）に折り畳まれた状態を維持することができるように、着脱部（１２６ａ）（１２６ｂ）が設置され；
上記後面折畳カバー（１３５）と後面カバー（１３０）の角側には、その後面折畳カバー（１３５）が上記後面カバー（１３０）に折り畳まれた状態を維持することができるように、着脱部（１３６ａ）（１３６ｂ）が設置されることを特徴とする請求項１８に記載の目保護カバー支持台。
【発明の詳細な説明】
【技術分野】
【０００１】
本発明は多様な型の製品に応用されることができる目保護カバー支持台に関し、さらに詳くは、携帯性と使用性を向上させることができる多用途カバー支持台に関する。
【背景技術】
【０００２】
説明しようとする内容が含まれるページ部とそのページ部の両側に折り畳まれるカバーとで構成される製品、例えば書籍、ノ−ト、メモ手帳、アルバム、写真集、名刺入れ、ダイアリー、カレンダー、保険会社や銀行で用いられるカタログ、電子手帳等のような製品は、印刷物が印刷されたり、筆記しようとするページ部を使用したりする時、その製品をテーブルの上において体を前方に引いて引いて頭を下げなければならなかった。
【０００３】
しかし、テーブルに向かって体を前に引いて頭を下げる姿勢は、腰と目に負担を与える姿勢で、長期的に繰り返す場合に、脊椎疾患、視力減退、蓄膿症、勉強能率の低下などの問題を発生した。
【発明の概要】
【発明が解決しようとする課題】
【０００４】
本発明は上記のような従来技術の問題点を解決するために創出されたもので、本発明の目的は腰や頭を下げないで使用することができて、便利性を極大化することができ、さらに携帯性を向上させることができる目保護支持台を提供することにある。
【課題を解決するための手段】
【０００５】
上記目的を実現するための本発明の一実施形態による目保護カバー支持台は、メイン連結部１０によって折畳可能に連結される前面カバー２０及び後面カバー３０と；上記前面カバー２０及び後面カバー３０の上部側に分節ライン２５ａ、３５ａによって連結されて、その前面カバー２０及び後面カバー３０に折り畳まれる前面折畳カバー２５及び後面折畳カバー３５と；上記前面カバー２０及び後面カバー３０と前面折畳カバー２５及び後面折畳カバー３５との間に連結されて、その前面カバー２０及び後面カバー３０と前面折畳カバー２５及び後面折畳カバー３５との間の角度を維持する角度維持部と；を含むことを特徴とする。
【０００６】
上記のような目的を達するために、本発明の他の実施形態による目保護カバー支持台は、メイン連結部１１０によって折畳可能に連結される前面カバー１２０及び後面カバー１３０と；上記前面カバー１２０の上部側に分節ライン１２５ａによって連結されて、その前面カバー１２０に折り畳まれる前面折畳カバー１２５と；上記後面カバー１３０の上部側に分節ライン１３５ａによって連結されて、その後面カバー１３０に折り畳まれる後面折畳カバー１３５と；上記前面折畳カバー１２５と後面折畳カバー１３５との間を連結するサブ連結部１１５と；上記サブ連結部１１５とメイン連結部１１０との間に連結されて、上記前面カバー２０と前面折畳カバー１２５及び上記後面カバー１３０と後面折畳カバー１３５との間の角度を維持する角度維持部と；を含むことを特徴とする。
【０００７】
本発明の特徴及び利点は添付図面に基づいた以下の詳細な説明によってさらに明確になる。これに先立って、明細書及び特許請求の範囲に用いられる用語や単語は、通常的で辞書的な意味に解釈してはならず、発明者が自分の発明を最も最善の方法で説明するために用語の概念を適切に定義することができるという原則に即して、本発明の技術思想に符号する意味や概念に解釈すべきである。
【発明の効果】
【０００８】
本発明による目保護カバー支持台は、前面カバーの上部側に分節ラインによって連結される前面折畳カバーと；後面カバーの上部側に分節ラインによって連結される後面折畳カバーと；前面カバー及び後面カバーと前面折畳カバー及び後面折畳カバーとの間の角度を維持する角度維持部と；を含むことによって、携帯の時、一般パンフレットのように折り畳んで携帯することができ、使用の時、読書台のように立てて使用することができる。従って、記録されたページ部を確認する場合にも、腰や頭を下げる必要がなく、またページ部を容易に取り替えることができて、多様な使用性を向上させることができるという作用、效果を奏する。
【図面の簡単な説明】
【０００９】
【図１】本発明による目保護カバー支持台の第１実施形態の斜視図。
【図２】図１の目保護カバー支持台において、前面カバー及び後面カバーと前面折畳カバー及び後面折畳カバーを立てるための角度維持部の第１実施形態を説明するための図面。
【図３】図２の目保護カバー支持台の側面図。
【図４】図１の目保護カバー支持台において、前面カバー及び後面カバーと前面折畳カバー及び後面折畳カバーを立てるための角度維持部の第２実施形態を説明するための図面。
【図５】図１の目保護カバー支持台において、前面カバー及び後面カバーと前面折畳カバー及び後面折畳カバーを立てるための角度維持部の第３実施形態を説明するための図面。
【図６】図１の目保護カバー支持台において、前面カバー及び後面カバーと前面折畳カバー及び後面折畳カバーを立てるための角度維持部の第４実施形態を説明するための図面。
【図７】図１の目保護カバー支持台において、前面カバー及び後面カバーと前面折畳カバー及び後面折畳カバーを立てるための角度維持部の第４実施形態を説明するための図面。
【図８】図１の目保護カバー支持台において、前面カバー及び後面カバーと前面折畳カバー及び後面折畳カバーを立てるための角度維持部の第５実施形態を説明するための図面。
【図９】図１の目保護カバー支持台において、前面カバー及び後面カバーと前面折畳カバー及び後面折畳カバーを立てるための角度維持部の第６実施形態を説明するための図面。
【図１０】図１の目保護カバー支持台において、前面カバー及び後面カバーと前面折畳カバー及び後面折畳カバーを立てるための角度維持部の第６実施形態を説明するための図面。
【図１１】図１の目保護カバー支持台において、前面カバー及び後面カバーと前面折畳カバー及び後面折畳カバーを立てるための角度維持部の第７実施形態を説明するための図面。
【図１２】図１の目保護カバー支持台において、前面カバー及び後面カバーと前面折畳カバー及び後面折畳カバーを立てるための角度維持部の第８実施形態を説明するための図面。
【図１３】図１の目保護カバー支持台において、前面カバー及び後面カバーと前面折畳カバー及び後面折畳カバーを立てるための角度維持部の第９実施形態を説明するための図面。
【図１４】図１の目保護カバー支持台において、前面カバー及び後面カバーと前面折畳カバー及び後面折畳カバーを立てるための角度維持部の第１０実施形態を説明するための図面。
【図１５】図１４の角度維持部を抜粋して図示した図面。
【図１６】図１の目保護カバー支持台において、前面カバー及び後面カバーと前面折畳カバー及び後面折畳カバーを立てるための角度維持部の第１１実施形態を説明するための図面。
【図１７】図１の目保護カバー支持台において、メイン連結部が複数のリングであることを説明するための図面。
【図１８】図１７の目保護カバー支持台がパンフレットのように折り畳まれた状態を説明するための図面。
【図１９】前面折畳カバーと後面折畳カバーが分離された状態を説明するための図面。
【図２０】前面折畳カバーと後面折畳カバーの上端及び下端にサブ連結帯部が形成されたことを説明するための図面。
【図２１】サブ連結部にサブ連結部溝が形成されたことを説明するための図面。
【図２２】前面カバー及び後面カバーの内側に折り畳まれる前面折畳カバー及び後面折畳カバーを説明するための図面。
【図２３】前面カバー及び後面カバーの内側に折り畳まれる前面折畳カバー及び後面折畳カバーを説明するための図面。
【図２４】本発明による目保護カバー支持台の第２実施形態の斜視図で、角度維持部の第１実施形態を説明するための図面。
【図２５】図２３の目保護カバー支持台において、角度維持部の第２実施形態を説明するための図面。
【図２６】図２４の目保護カバー支持台において、角度維持部の第３実施形態を説明するための図面。
【発明を実施するための形態】
【００１０】
上述した本発明の目的、特徴及び長所は以下の詳細な説明によってより明確になる。
【００１１】
以下、添付された図面を参照して本発明による目保護カバー支持台を説明すれば下記の通りである。
【００１２】
まず、図面において同一の構成要素または部品は、同一の参照符号で示していることに留意すべきである。本発明を説明するにあたって、関連する公知の機能あるいは構成に対する具体的な説明は本発明の要旨を明確するために省略する。
【００１３】
図１は本発明による目保護カバー支持台の第１実施形態の斜視図であり、図２は図１の目保護カバー支持台において、前面カバー及び後面カバーと前面折畳カバー及び後面折畳カバーを立てるための角度維持部の第１実施形態を説明するための図面であり、図３は図２の目保護カバー支持台の側面図である。
【００１４】
図示したように、本発明による目保護カバー支持台の第１実施形態は、メイン連結部１０によって折畳可能に連結される前面カバー２０及び後面カバー３０と；前面カバー２０及び後面カバー３０の上部側に分節ライン２５ａ、３５ａによって連結されて、その前面カバー２０及び後面カバー３０に折り畳まれる前面折畳カバー２５及び後面折畳カバー３５と；前面カバー２０及び後面カバー３０と前面折畳カバー２５及び後面折畳カバー３５との間に連結されて、その前面カバー２０及び後面カバー３０と前面折畳カバー２５及後面折畳カバー３５との間の角度を維持する角度維持部４０と；を含む。
【００１５】
この時、メイン連結部１０と前面カバー２０及び後面カバー３０の中の何れか一つには、図３に示したように、各種情報が印刷されたり筆記ができるようにするページ部（図示せず）を着脱可能に支持するための着脱支持部６０が設置されることが好ましい。
【００１６】
添付された図面には、前面折畳カバー２５を前面カバー２０に連結する分節ライン２５ａや後面折畳カバー３５を後面カバー３０に連結する分節ライン３５ａが、前面カバー２０及び後面カバー３０の上部側に形成されたことに示されているが、分節ライン２５ａ、３５ａが前面カバー２０の最上端と後面カバー３０の最上端に形成されることもできる。
【００１７】
メイン連結部１０は、その両側で、分節ライン１０ａによって、前面カバー２０と後面カバー３０とを連結する。
【００１８】
前面カバー２０は、それより薄厚の段差部面２０ａを有し、後面カバー３０は、それより薄厚の段差部面３０ａを有する。
【００１９】
前面折畳カバー２５は、段差部面２０ａの上部に折り畳まれ、前面カバー２０と分節ライン２５ａによって連結される。このような前面折畳カバー２５の厚さは段差部面２０ａに折り畳まれる時、折り畳まれる段差部面２０ａと前面折畳カバー２５の全体の厚さが前面カバー２０と同一の厚さを有する。
【００２０】
後面折畳カバー３５は、段差部面３０ａの上部に折り畳まれ、後面カバー３０と分節ライン３５ａによって連結される。このような後面折畳カバー３５の厚さは、段差部面３０ａに折り畳まれる時、折り畳まれる段差部面３０ａと後面折畳カバー３５の全体の厚さが後面カバー３０と同一の厚さを有する。
【００２１】
この時、前面折畳カバー２５と後面折畳カバー３５は、分節ライン２５ｂ、３５ｂによってサブ連結部１５と連結される。
【００２２】
前面折畳カバー２５と前面カバー２０の角側には、その前面折畳カバー２５が前面カバー２０に折り畳まれた状態を維持することができるように、着脱部２６ａ、２６ｂが設置される。また、後面折畳カバー３５と後面カバー３０の角側には、その後面折畳カバー３５が後面カバー３０に折り畳まれた状態を維持することができるように、着脱部３６ａ、３６ｂが設置される。このような着脱部２６ａ、２６ｂ、３６ａ、３６ｂは、それぞれ相互着脱が可能なベルクロで具現されたり、磁力で着脱が可能になるように磁石と鉄片で具現されたり、反対極性に配置される磁石や、非磁石ボタン、またはその他多様な形態で具現されることができる。
【００２３】
上記前面カバー２０及び後面カバー３０は、卓上に立てられるために、ある程度堅固性が必要であるため、比較的堅固性が高いながらも製造費用が低廉なポリプロピレン（ｐｏｌｙｐｒｏｐｙｌｅｎｅ、通常ＰＰと称する）を射出して製造したり、アクリル、ハードボードのような紙、プラスチック、アルミニウム、木等で具現される。また、高級性を付加させるために、前面カバー２０及び後面カバー３０には、天然皮や合成皮、布で包み、角部を曲線処理することもできる。
【００２４】
本発明の目保護カバー支持台を立てるために、前面カバー２０及び後面カバー３０と前面折畳カバー２５及び後面折畳カバー３５それぞれには、それらの間の開かれた状態を維持する角度維持部が設置される。角度維持部は、多様な形態に具現されることができ、これを説明すれば下記の通りである。
【００２５】
角度維持部４０、５０の第１実施形態は、図２及び図３に示したように、前面カバー２０及び後面カバー３０と前面折畳カバー２５及び後面折畳カバー３５との間に連結されて固定されるバンド部材で具現される。
【００２６】
図４は図１の目保護カバー支持台において、前面カバー及び後面カバーと前面折畳カバー及び後面折畳カバーを立てるための角度維持部の第２実施形態を説明するための図面である。
【００２７】
図示したように、角度維持部１４０の第２実施形態は、それぞれのの前面カバー２０及び後面カバー３０の端部の全面とそれぞれのの前面折畳カバー２５及び後面折畳カバー３５の端部の全面を連結し、折り畳まれることができるように、中央に折り目が形成されたシート部材で具現することができる。
【００２８】
図５は、図１の目保護カバー支持台において、前面カバー及び後面カバーと前面折畳カバー及び後面折畳カバーを立てるための角度維持部の第３実施形態を説明するための図面である。
【００２９】
図示したように、角度維持部２４０の第３実施形態は、前面カバー２０及び後面カバー３０の内側それぞれに、前面カバー溝２１及び後面カバー溝３１が形成され、前面折畳カバー２５’が前面カバー溝２１の上端の分節ライン２５ａ’によって連結されて、第１カバー溝２１に嵌められる部材であり、後面折畳カバー３５’が後面カバー溝３１の上端の分節ライン３５ａ’によって連結されて、第２カバー溝３１に嵌められる部材に適用される。この時、角度維持部２４０は、前面カバー溝２１及び後面カバー溝３１と前面折畳カバー２５’及び後面折畳カバー３５’との間に設置されるバンド部材で具現される。
【００３０】
図６及び図７は、図１の目保護カバー支持台において、前面カバー及び後面カバーと前面折畳カバー及び後面折畳カバーを立てるための角度維持部の第４実施形態を説明するための図面である。
【００３１】
図示したように、角度維持部３４０の第４実施形態は、前面折畳カバー２５及び後面折畳カバー３５と連結されて、前面カバー２０及び後面カバー３０のそれぞれの下部側に掛けられるバンド部材３４０ａと、前面カバー２０及び後面カバー３０の上部側に所定の間隔で設置される第１着脱部３４０ｂと、バンド部材３４０ａに設置されて、第１着脱部３４０ｂに着脱される第２着脱部３４０ｃとを含む。
【００３２】
上記バンド部材３５０ａは、帯状に形成されており、布、プラスチック、ポリ系列の樹脂、皮、紙等の材質で具現される。また、第１着脱部３５０ｂ及び第２着脱部３５０ｃは、互いに着脱可能なベルクロで具現されたり、磁力で着脱可能になるように、磁石と鉄片で具現されたり、反対極性に配置される磁石で具現されたり、非磁石ボタン等で具現されることができる。
【００３３】
この時、上記バンド部材３４０ａ、３５０ａは、前面カバー２０及び後面カバー３０の下部側に貫通溝（図示せず）を形成した後、その貫通溝を貫通するようにすることもでき、または、前面カバー２０及び後面カバー３０の下端部に掛けられるようにすることもでき、または、前面カバー２０及び後面カバー３０の側端部に掛けられるようにすることもできる。
【００３４】
図８は、図１の目保護カバー支持台において、前面カバー及び後面カバーと前面折畳カバー及び後面折畳カバーを立てるための角度維持部の第５実施形態を説明するための図面である。
【００３５】
図示したように、角度維持部４４０の第５実施形態は、前面カバー２０及び後面カバー３０のそれぞれの下端に折畳可能に連結され、前面折畳カバー２５及び後面折畳カバー３５の端部が嵌められる複数の嵌込溝４４０ａが形成された部材で具現されることができる。この時、前面カバー２０と後面カバー３０のそれぞれには、角度維持部４４０が嵌められる角度維持部嵌込溝２２、３２が形成されることが好ましい。一方、上記角度維持部４４０は、図面で、前面カバー２０及び後面カバー３０と前面折畳カバー２５及び後面折畳カバー３５との間に位置されることが示されているが、使用しない場合、前面カバー２０及び後面カバー３０の表面に折り畳まれることもできる。
【００３６】
このような構造によって、前面折畳カバー２５及び後面折畳カバー３５の端部が嵌められるための嵌込溝４４０ａの位置によって、目保護カバー支持台の立て角度が異なる。
【００３７】
図９及び図１０は、図１の目保護カバー支持台において、前面カバー及び後面カバーと前面折畳カバー及び後面折畳カバーを立てるための角度維持部の第６実施形態を説明するための図面である。
【００３８】
図示したように、角度維持部５４０の第６実施形態は、前面カバー２０及び後面カバー３０のそれぞれの下端に折畳可能に連結され、前面折畳カバー２５及び後面折畳カバー３５の端部が係止される複数の係止突起５４０ａが形成された部材で具現されることができる。この時、前面カバー２０と後面カバー２０のそれぞれ、または前面折畳カバー２５及び後面折畳カバー３５のそれぞれには、角度維持部５４０が嵌められる角度維持部嵌込溝が形成され、このような角度維持部嵌込溝には、係止突起５４０ａが嵌め込まれる突起嵌込溝が形成されることもできる。本実施形態では、前面カバー２０及び後面カバー３０の背面に角度維持部嵌込溝２３、３３が形成され、角度維持部嵌込溝２３、３３に突起嵌込溝２３ａ、３３ａが形成されたことを例として説明する。
【００３９】
上記角度維持部５４０は、全体的に矩形に形成され、係止突起５４０ａが形成されるように、ワイヤで成形して具現されることができる。または、角度維持部５４０は、図１１に示したように、全体的に矩形に形成された板材５４１に独立の構成である係止突起５４０ａ’を、成形や熔接等の方法によって附着することによって具現される。または、角度維持部５４０は、板材５４１に前面折畳カバー２５及び後面折畳カバー３５が嵌められる溝を形成することによって具現することもできる。一方、上記角度維持部５４０は、図面で、前面カバー２０及び後面カバー３０と前面折畳カバー２５及び後面折畳カバー３５との間に位置される状態が図示されているが、使用しない場合、前面カバー２０及び後面カバー３０の表面に折り畳まれることもできる。
【００４０】
このような構造によって、前面折畳カバー２５及び後面折畳カバー３５の端部が立嵌め込まれる係止突起５４０ａ、５４０ａ’の位置によって、目保護カバー支持台の立て角度が異なる。
【００４１】
図１１は図１の目保護カバー支持台において、前面カバー及び後面カバーと前面折畳カバー及び後面折畳カバーを立てるための角度維持部の第７実施形態を説明するための図面である。
【００４２】
図示したように、角度維持部６４０の第７実施形態は、前面カバー２０及び後面カバー３０のそれぞれの下端に折畳可能に連結され、その内部に所定の間隔で第１磁力式着脱部６４０ｂが内装された平板部材６４０ａと、前面折畳カバー２５及び後面折畳カバー３５の端部に内装されて、第１磁力式着脱部６４０ｂに着脱される第２磁力式着脱部６４０ｃを含んで具現されることができる。この時、前面カバー２０と後面カバー３０のそれぞれには、角度維持部６４０が嵌められる角度維持部嵌込溝２３、３３が形成されることが好ましい。この時第２磁力式着脱部６４０ｃが設置される平板部材６４０ａは、突出または陷沒形状に具現されることもできる。一方、上記角度維持部６４０は、図面で、前面カバー２０及び後面カバー３０と前面折畳カバー２５及び後面折畳カバー３５との間に位置される状態が示されているが、使用しない場合、前面カバー２０及び後面カバー３０の表面に折り畳まれることもできる。
【００４３】
このような構造によって、第２磁力式着脱部６４０ｃが附着される第１磁力式着脱部６４０ｂの位置によって、目保護カバー支持台の立て角度が異なる。
【００４４】
図１２は図１の目保護カバー支持台において、前面カバー及び後面カバーと前面折畳カバー及び後面折畳カバーを立てるための角度維持部の第８実施形態を説明するための図面である。
【００４５】
図示したように、角度維持部７４０の第８実施形態は、前面カバー２０及び後面カバー３０のそれぞれの下端に折畳可能に連結され、内側にガイド溝７４５ａが形成されて、上部側に前面折畳カバー２５及び後面折畳カバー３５の端部が嵌め込まれる複数の第１係止突起７４５ｂが形成された本体７４５と、ガイド溝７４５ａに沿って摺動され、上部側に前面折畳カバー２５及び後面折畳カバー３５の端部が嵌め込まれる複数の第２係止突起７４６ｂが形成されたスライダー７４６を含む。このような構造によって、スライダー７４６が本体７４５の端部から前面折畳カバー２５及び後面折畳カバー３５側に摺動し、この状態で前面折畳カバー２５及び後面折畳カバー３５の端部が第１係止突起７４５ｂ及び／または第２係止突起７４６ｂに係止される。この時、係止される第１係止突起７４５ｂ及び第２係止突起７４６ｂの位置によって、目保護カバー支持台の立て角度が異なる。一方、上記角度維持部７４０は、図面で、前面カバー２０及び後面カバー３０と前面折畳カバー２５及び後面折畳カバー３５との間に位置される状態が図示されているが、使用しない場合、前面カバー２０及び後面カバー３０の表面に折り畳まれることもできる。
【００４６】
図１３は図１の目保護カバー支持台において、前面カバー及び後面カバーと前面折畳カバー及び後面折畳カバーを立てるための角度維持部の第９実施形態を説明するための図面である。
【００４７】
図示したように、角度維持部８４０の第９実施形態は、前面カバー２０及び後面カバー３０のそれぞれの下端に折畳可能に連結され、内側にガイド溝８４５ａが形成されて、上部側に前面折畳カバー２５及び後面折畳カバー３５の端部が嵌め込まれる複数の第１係止突起８４５ｂが形成された本体８４５と、ガイド溝８４５ａの端部に回転されるように設置されて、そのガイド溝８４５ａに嵌め込まれたり開かれ、上部側に前面折畳カバー２５及び後面折畳カバー３５の端部が嵌め込まれる複数の第２係止突起８４６ｂが形成された回転バー８４６を含む。このような構造によって、回転バー８４６が本体８４５の端部から前面折畳カバー２５及び後面折畳カバー３５側に回転され、この状態で、前面折畳カバー２５及び後面折畳カバー３５の端部が第１係止突起８４５ｂ及び／または第２係止突起８４６ｂに係止される。この時係止される第１係止突起８４５ｂ及び第２係止突起８４６ｂの位置によって目保護カバー支持台の立て角度が異なる。
【００４８】
図１４は図１の目保護カバー支持台において、前面カバー及び後面カバーと前面折畳カバー及び後面折畳カバーを立てるための角度維持部の第１０実施形態を説明するための図面であり、図１５は図１４の角度維持部を抜粋して図示した図面である。
【００４９】
図示したように、第１角度維持部９４０の第１０実施形態は、前面カバー２０及び後面カバー３０のそれぞれに直角方向に内装され、端部に離脱防止段９４５ａが形成されたガイド管９４５と、ガイド管９４５の内部で摺動され、離脱防止段９４５ａに係止される離脱防止突起９４６ａが形成され、上部側に前面折畳カバー２５及び後面折畳カバー３５の端部が嵌め込まれる複数の係止突起９４６ｂが形成されたスライダー９４６を含む。このような構造によって、スライダー９５６がガイド管９４５の内部から突出された後、離脱防止突起９４６ａが離脱防止段９４５ａに係止されて、前面折畳カバー２５及び後面折畳カバー３５側に回転され、この状態で前面折畳カバー２５及び後面折畳カバー３５の端部が係止突起９４６ｂに係止される。この時、係止される係止突起９４６ｂの位置によって目保護カバー支持台の立て角度が異なる。
【００５０】
図１６は図１の目保護カバー支持台において、前面カバー及び後面カバーと前面折畳カバー及び後面折畳カバーを立てるための角度維持部の第１１実施形態を説明するための図面である。
【００５１】
図示したように、角度維持部１０４０の第１１実施形態は、前面カバー２０及び後面カバー３０のそれぞれの下端に折畳可能に連結され、前面折畳カバー２５及び後面折畳カバー３５にそれぞれ形成された穿孔溝２５ｃ、３５ｃに貫通されて嵌め込まれる複数の係止突起部１０４０ａが形成された部材で具現されることができる。ここで、互いに係止されたり、分離される係止突起部１０４０ａや穿孔溝２５ｃ、３５ｃは、多様な形態に具現されることができる。このような構造によって、穿孔溝２５ｃ、３５ｃに係止される係止突起部１０４０ａの位置によって、目保護カバー支持台の立て角度が異なる。
【００５２】
上記説明したように、角度維持部は上記説明された形態の他にも、その他多様な形態の長さの固定方式、長さ延長可能方式で具現されることができる。
【００５３】
図１７は図１の目保護カバー支持台において、メイン連結部が複数のリングであることを説明するための図面であり、図１７は図１６の目保護カバー支持台がパンフレットのように折り畳まれた状態を説明するための図面である。また、図１８は前面折畳カバーと後面折畳カバーが分離された状態を説明するための図面である。
【００５４】
図１乃至図１６によって説明されたメイン連結部１０は、前面カバー２０と後面カバー３０の側端部に直接連結されている。しかし、メイン連結部１０’は、図１７に示したように、前面カバー２０と後面カバー３０を連結する複数のリングでも具現されることができる。この場合、リングであるメイン連結部１０’に係止されないように、前面折畳カバー２５’と後面折畳カバー３５’は分離されており、これら前面折畳カバー２５’及び後面折畳カバー３５’のそれぞれは、メイン連結部１０’の両側の前面カバー及び後面カバーに折り畳まれる。
【００５５】
一方、第１前面折畳カバー２５’と第１後面折畳カバー３５’の下端が、図１７に示したように、凸状の連結部材１５’によって部分的に連結されることができる。さらに、前面カバー１０と後面カバー２０も連結部材（図示せず）によって連結されることもでき、この場合、連結部材は前面カバー１０と後面カバー２０を部分的に連結したり、全体を連結することもできる。
【００５６】
このような構造によって、図１８に示したように、前面折畳カバー２５’及び後面折畳カバー３５’を前面カバー２０及び後面カバー３０に折り畳む時、本発明の目保護カバー支持台はパンフレット形態になる。
【００５７】
一方、図１９に示したように、前面折畳カバー２５’と後面折畳カバー３５’との間には、図１７及び図１８で説明した連結部材１５’を採用しないこともできる。この場合、前面折畳カバー２５’と後面折畳カバー３５’のそれぞれが角度維持部に対して独立的に立て角度を異なるようにすることができる。
【００５８】
図２０は前面折畳カバーと後面折畳カバーの上端及び下端に、サブ連結帯部が形成されたことを説明するための図面である。
【００５９】
図示したように、メイン連結部１０”は、各種情報が印刷されたり、筆記ができるようにするページ部の前、後面が折り畳まれる前面カバー２０と後面カバー３０を製本するスプリングで具現することができる。この時、前面折畳カバー２５と後面折畳カバー３５の上端及び下端には、それらを連結するサブ連結帯部１５’が形成されることができる。
【００６０】
図２１はサブ連結部にサブ連結部溝が形成されたことを説明するための図面である。
【００６１】
図示したように、メイン連結部１０”は、各種情報が印刷されたり、筆記ができるようにするページ部の前、後面が折り畳まれる前面カバー２０と後面カバー３０を製本するスプリングで具現することができる。この時、前面折畳カバー２５と後面折畳カバー３５との間を連結するサブ連結部１５には、メイン連結部であるスプリングの一部分が嵌められて貫通されるサブ連結部溝１５ａが形成される。このような構造によって、前面折畳カバー２５及び後面折畳カバー３５を前面カバー２０及び後面カバー３０に折り畳むと、サブ連結部溝１５ａを通じてメイン連結部１０”であるスプリングの一部が露出される。
【００６２】
図２２及び図２３は、前、後面カバーの内側に折り畳まれる前面折畳カバー及び後面折畳カバーを説明するための図面である。
【００６３】
図示したように、前面折畳カバー２５”は前面カバー２０の内側に折り畳まれ、後面折畳カバー３５”は後面カバー３０の内側に折り畳まれることができる。これのために、前面カバー２０及び後面カバー３０のそれぞれには、前面折畳カバー２５”及び後面折畳カバー３５”がそれぞれ嵌め込まれる前面カバー溝２０ａ”及び後面カバー溝３０ａ”が形成される。前面カバー溝２０ａ”及び後面カバー溝３０ａ”は、前面カバー２０及び後面カバー３０より薄厚で、前面折畳カバー２５”及び後面折畳カバー３５”が前面カバー溝２０ａ”及び後面カバー溝３０ａ”に折り畳まれる時、全体の厚さは前面カバー２０及び後面カバー３０の厚さと同一になることが好ましい。
【００６４】
前面折畳カバー２５”及び後面折畳カバー３５”と前面カバー溝２０ａ”及び後面カバー溝３０ａ”との間には、その前面折畳カバー２５”及び後面折畳カバー３５”が前面カバー溝２０ａ”及び後面カバー溝３０ａ”に折り畳まれた状態を維持することができるように、上述したような着脱部２６ａ、２６ｂ、３６ａ、３６ｂが設置される。
【００６５】
着脱支持部６０は、ページ部を着脱可能に支持するためのもので、多様な形態に具現されることができる。例えば、メイン連結部１０に設置されて、複数のページで構成されるページ部（図示せず）をバインディングするためのバインダーに具現されることができる。または、メイン連結部１０に連結されて、紙が入ることができる複数のビニール袋で具現されることもできる。または、前面カバーまたは後面カバーの上端に設置されて、ページ部の上端を着脱させるクリップでも具現されることができる。
【００６６】
次に、本発明による目保護カバー支持台の第２実施形態を説明する。
【００６７】
図２４は本発明による目保護カバー支持台の第２実施形態の斜視図で、角度維持部の第１実施形態を説明するための図面である。また、図２５は図２４の目保護カバー支持台において、角度維持部の第２実施形態を説明するための図面であり、図２６は図２４の目保護カバー支持台において、角度維持部の第３実施形態を説明するための図面である。
【００６８】
図示したように、目保護カバー支持台の第２実施形態は、メイン連結部１１０によって折畳可能に連結される前面カバー１２０及び後面カバー１３０と；前面カバー１２０の上部側に分節ライン１２５ａによって連結されて、その前面カバー１２０に折り畳まれる前面折畳カバー１２５と；後面カバー１３０の上部側に分節ライン１３５ａによって連結されてその後面カバー１３０に折り畳まれる後面折畳カバー１３５と；前面折畳カバー１２５と後面折畳カバー１３５との間を連結するサブ連結部１１５と；サブ連結部１１５とメイン連結部１１０との間に連結されて、前面カバー２０と前面折畳カバー１２５及び上記後面カバー１３０と後面折畳カバー１３５との間の角度を維持する角度維持部と；を含む。
【００６９】
この時、メイン連結部１０と前面カバー２０及び後面カバー３０の中の何れか一つには、図３に示したように、各種情報が印刷されたり、筆記ができるようにするページ部（図示せず）を着脱可能に支持するための着脱支持部１６０が設置されることが好ましく、このような着脱支持部１６０は第１実施形態で説明されたのと類似している。
【００７０】
前面カバー１２０及び後面カバー１３０は、第１実施形態で説明された前面カバー２０及び後面カバー３０と大体類似しているので、詳細な説明は省略する。また分節ライン１２５ａ、１３５ａは、目保護カバー支持台の第１実施形態で説明したように、前面カバー及び後面カバーの上部側または最上端に形成されることもできる。
【００７１】
サブ連結部１１５は、分節ライン１２５ｂ、１３５ｂによって、前面折畳カバー１２５と後面折畳カバー１３５を連結する。この時、サブ連結部１１５は、前面折畳カバー１２５と後面折畳カバー１３５の全体を連結することもでき、一部のみを連結することもできる。
【００７２】
前面折畳カバー１２５と前面カバー１２０の角側には、その前面折畳カバー１２５が前面カバー１２０に折り畳まれた状態を維持することができるように、着脱部１２６ａ、１２６ｂが設置される。また、後面折畳カバー１３５と後面カバー１３０の角側には、その後面折畳カバー１３５が後面カバー１３０に折り畳まれた状態を維持することができるように、着脱部１３６ａ、１３６ｂが設置される。このような着脱部１２６ａ、１２６ｂ、１３６ａ、１３６ｂそれぞれは、互いに着脱が可能なベルクロで具現されたり、磁力で着脱が可能になるように磁石と鉄片で具現されたり、反対極性に配置される磁石や、非磁石ボタン、またはその他多様な形態で具現されることができる。
【００７３】
本発明の目保護カバー支持台が立てられるために、前面カバー１２０及び後面カバー１３０と前面折畳カバー１２５及び後面折畳カバー１３５との間が開かれた状態を維持する角度維持部が設置される。角度維持部は多様な形態に具現されることができ、これを説明すれば下記の通りである。
【００７４】
角度維持部１２４０の第１実施形態は、図２４に示したように、メイン連結部１１０とサブ連結部１１５との間に連結されて固定されるバンド部材で具現される。
【００７５】
角度維持部１３４０の第２実施形態は、図２５に示したように、メイン連結部１１０の下端に折畳可能に連結され、サブ連結部１１５の端部が嵌め込まれる複数の嵌込溝１３４０ａが形成された部材で具現される。このような角度維持部１３４０には、前面折畳カバー１２５及び後面折畳カバー１３５の間のサブ連結部１１５の端部が嵌め込まれる嵌込溝１３４０ａが形成されており、嵌め込まれる位置によって、前面カバー１２０及び後面カバー１３０の立て角度が可変される。この時、上記角度維持部１３４０は、図面で、メイン連結部１１０とサブ連結部１１５との間に位置される状態を図示されているが、使用しない場合、メイン連結部１１０の表面に折り畳まれることもできる。
【００７６】
角度維持部１４４０の第３実施形態は、図２６に示したように、サブ連結部１１５に所定の間隔を隔てて設置される複数の第１着脱部１４４１と、メイン連結部１１０に連結されて、サブ連結部１１５の下部側を貫通するバンド部材１４４２と、バンド部材１４４２の端部に設置されて、第１着脱部１４４１に附着される第２着脱部１４４３とで構成される。
【００７７】
この時、第２着脱部１４４３が特定の位置の第１着脱部１４４１に附着されることによって、バンド部材１４４２は、前面カバー１２０及び後面カバー１３０と前面折畳カバー１２５及び後面折畳カバー１３５との間の間隔を可変して、これによって前面カバー１２０及び後面カバー１３０の立て角度が可変される。
【００７８】
ここで、第１着脱部１４４１及び第２着脱部１４４３は、互いに着脱が可能なベルクロで具現されたり、磁力で着脱が可能になるように磁石と鉄片に具現されたり、反対極性に配置される磁石等で具現されることができる。本実施形態で第１着脱部１４４１及び第２着脱部１４４３は、バンド部材１４４２に設置された鉄片とサブ連結部１１５に設置されるボタン形態の磁石からなることを示している。また、上記バンド部材は多様な材質で具現されることができ、例えば布、プラスチック、ポリ系列の樹脂、皮、紙等がある。
【００７９】
この時、角度維持部１４４０が外部に露出されることを防止するために、サブ連結部１１５には、その角度維持部１４４０を覆うためのキャップが設置されることもできる。
【００８０】
また、本実施形態で、角度維持部１４４０の中、第１着脱部１４４１及び第２着脱部１４４３がサブ連結部１１５側に設置されている状態を説明しているが、反対にメイン連結部１１０側に設置されて、バンド部材１４４２もサブ連結部１１５に連結されることもできる。
【００８１】
一方、本発明は記載された実施形態に限定されるものではなく、本発明の思想及び範囲を逸脱しないで、多様に修正及び変形が可能なことは、当該技術分野において通常の知識を有する者にとっては自明である。従って、このような変形例または修整例は、本発明の特許請求の範囲に属するとすべきである。
【符号の説明】
【００８２】
１０    メイン連結部      
１５    サブ連結部
１５’  サブ連結帯部                        
２０    前面カバー
２５    前面折畳カバー                  
２５”  前面折畳カバー
３０    後面カバー                                  
３５    後面折畳カバー
３５”  後面折畳カバー
４０    角度維持部の第１実施形態  
１４０    角度維持部の第２実施形態
２４０    角度維持部の第３実施形態  
３４０    角度維持部の第４実施形態
４４０    角度維持部の第５実施形態  
５４０    角度維持部の第６実施形態
６４０    角度維持部の第７実施形態  
７４０    角度維持部の第８実施形態
８４０    角度維持部の第９実施形態  
９４０    角度維持部の第１０実施形態
１０４０    角度維持部の第１１実施形態  
１１０    メイン連結部
１１５    サブ連結部      
１２０    前面カバー
１２５    前面折畳カバー    
１３０    後面カバー
１３５    後面折畳カバー          
１２４０    角度維持部の第１実施形態
１３４０    角度維持部の第２実施形態  
１４４０    角度維持部の第３実施形態
２１０    メイン連結部                              
２２０    前面カバー
２２５    前面折畳カバー                          
２３０    後面カバー
２３５    後面折畳カバー

【図１】
2010533083.tif 000003
【図２】
2010533083.tif 000004
【図３】
2010533083.tif 000005
【図４】
2010533083.tif 000006
【図５】
2010533083.tif 000007
【図６】
2010533083.tif 000008
【図７】
2010533083.tif 000009
【図８】
2010533083.tif 000010
【図９】
2010533083.tif 000011
【図１０】
2010533083.tif 000012
【図１１】
2010533083.tif 000013
【図１２】
2010533083.tif 000014
【図１３】
2010533083.tif 000015
【図１４】
2010533083.tif 000016
【図１５】
2010533083.tif 000017
【図１６】
2010533083.tif 000018
【図１７】
2010533083.tif 000019
【図１８】
2010533083.tif 000020
【図１９】
2010533083.tif 000021
【図２０】
2010533083.tif 000022
【図２１】
2010533083.tif 000023
【図２２】
2010533083.tif 000024
【図２３】
2010533083.tif 000025
【図２４】
2010533083.tif 000026
【図２５】
2010533083.tif 000027
【図２６】
2010533083.tif 000028
【国際調査報告】
2010533083.tif 000029
2010533083.tif 000030